(57)【特許請求の範囲】
【請求項１】
戸体の吊元側上下端面と、該上下端面に対向する上下戸枠とのあいだに開閉用の枢軸を介装して、戸体を全閉姿勢から全開姿勢に開閉するよう構成された開き戸において、前記吊元側縦戸枠の戸当り面の先端部に、戸体全閉時に戸体吊元側端部が当接して気密性を確保するための気密材を止着し、該気密材の先端面を、戸体の全開姿勢で該戸体の吊元側端面部に形成されるストッパ面部が前記気密材先端面に対して戸当り面と対向する方向から当接するストッパ面部に形成して、気密材を、戸体の全開姿勢を越える開放揺動を回避する回り止め部材に構成した開き戸。
【請求項２】
請求項１において、戸体の吊元側端面部には、ストッパ面部の他に、戸体が全閉になる直前位置で間口幅方向内側から気密材に当接して該気密材を戸体全閉姿勢で間口幅方向外方に向けて弾性変形させるための当接面部が形成されている開き戸。
【請求項３】
請求項２において、戸体の吊元側端面部には、ストッパ面部と当接面部とのあいだに、中途開姿勢で気密材から離間するよう設定された中間面部が形成されている開き戸。
【請求項４】
請求項２において、戸体の吊元側端面部には、ストッパ面部と当接面部とのあいだに、戸体の中途開姿勢で略自然状態の気密材に当接するよう設定された中間面部が形成されている開き戸。
【請求項５】
請求項１、２、３または４において、戸体に介装される枢軸は、戸体の板厚中心に対して偏芯している開き戸。
【発明の詳細な説明】
【０００１】
【発明の属する技術分野】
本発明は、住宅、マンション、ビル等の建築物の開口部に設けられる開き戸の技術分野に属するものである。
【０００２】
【従来の技術】
今日、開き戸のなかには、蝶番やピポットヒンジのように軸支部材が外部に露出するものでは外観性が損なわれる等の要求から、戸体の吊元側上下端面と該上下端面に対向する上下戸枠とのあいだに開閉用の枢軸を介装して軸支部材が露出ないようにしたものが知られている。そしてこのものにおいて、戸体を全閉姿勢から略９０度揺動した状態を全開姿勢になるよう設定することがある。このような場合に、戸体を開放操作するにあたり、勢いよく開放したりすることがあり、このようなときにの戸体の回りすぎを防止するため、図７に示すように、吊元側の縦戸枠２５に、全開姿勢で戸体２６と並列状になる延長部２５ａを形成し、該延長部２５ａに全開姿勢を越えて開放しようとする戸体２６が当たることで戸体２６の回り止めをするようにしていた。
【０００３】
【発明が解決しようとする課題】
ところがこのものでは、前記縦戸枠２５を、屋外側に延長部２５ａが突出した構成にしなければならないため、戸体２６は、その分だけ屋内側に位置したものとなって室内空間が狭くならざるを得ず、居住性が損なわれるという問題があり、ここに本発明が解決しようとする課題があった。
さらには、前記従来の開き戸において、指詰めに対する配慮の観点から、図８に示すように、吊元側縦戸枠２７の戸当り２７ａを略軸支位置までと突出量の小さいものにし、該短い戸当り２７ａの先端部に気密材２８を設けることで指詰めを回避することが提唱される。しかるにこのものでは、気密材２８と戸体２９の吊元側端面２９ａとの弾圧状の摺接関係が戸体２９の全開閉過程を通して行われ、この結果、指詰めは回避できるものの、気密材２８が早期のうちに摩耗するという問題が生じる許りでなく、建付け時に気密材と戸体とのあいだのクリアランスに誤差が生じて、隙間が空きすぎて気密性が損なわれたり、逆に気密材と戸体とが近すぎて戸体の開閉作動が重くなったりするという問題がある。
これに対し、前記図７のように、戸体２６を、戸体２６の円弧状の曲面部２６ａの直径より平板面部２６ｂの板厚を大きくして曲面部２６ａと平板面部２６ｂとのあいだに段差面部２６ｃが形成されたものとし、全閉時にのみ段差状に厚くなった平板面部２６ｂの吊元側端部が気密材３０に当接する構成として、気密材３０の摩耗を防止することが考えられるが、このものは、戸体２６が閉鎖する過程で、曲面部２６ａと戸当り２５ｂの先端とのあいだにどうしても前記段差面部２６ｃの厚さ分、僅かではあるが隙間が形成され、この隙間に指が入り込むと、該指は、閉鎖する間際に段差面部２６ｃによって縦戸枠２５の内方側に引き込まれることになって指詰め状態になる惧れがあり、何れのものにも問題があり、ここにも本発明が解決しようとする課題があった。
【０００４】
【課題を解決するための手段】
本発明は、上記の如き実情に鑑み、これらの課題を解決することを目的として創作されたものであって、請求項１の発明は、戸体の吊元側上下端面と、該上下端面に対向する上下戸枠とのあいだに開閉用の枢軸を介装して、戸体を全閉姿勢から全開姿勢に開閉するよう構成された開き戸において、前記吊元側縦戸枠の戸当り面の先端部に、戸体全閉時に戸体吊元側端部が当接して気密性を確保するための気密材を止着し、該気密材の先端面を、戸体の全開姿勢で該戸体の吊元側端面部に形成されるストッパ面部が前記気密材先端面に対して戸当り面と対向する方向から当接するストッパ面部に形成して、気密材を、戸体の全開姿勢を越える開放揺動を回避する回り止め部材に構成した開き戸である。
そして、このようにすることにより、戸当り面にストッパ面部が形成されて戸枠の見込寸法を小さくできる。
請求項２の発明は、請求項１において、戸体の吊元側端面部には、ストッパ面部の他に、戸体が全閉になる直前位置で間口幅方向内側から気密材に当接して該気密材を戸体全閉姿勢で間口幅方向外方に向けて弾性変形させるための当接面部が形成されている開き戸である。
請求項３の発明は、請求項２において、戸体の吊元側端面部には、ストッパ面部と当接面部とのあいだに、中途開姿勢で気密材から離間するよう設定された中間面部が形成されている開き戸である。
請求項４の発明は、請求項２において、戸体の吊元側端面部には、ストッパ面部と当接面部とのあいだに、戸体の中途開姿勢で略自然状態の気密材に当接するよう設定された中間面部が形成されている開き戸である。
請求項５の発明は、請求項１、２、３または４において、戸体に介装される枢軸は、戸体の板厚中心に対して偏芯している開き戸である。
【０００５】
【発明の実施の形態】
次に、本発明の実施の形態を図面に基づいて説明する。
まず、第一の実施の形態を図１〜図４に示すが、該図面において、１は躯体開口部に建付けられる開き戸であって、該開き戸１を構成する戸体２の上下端面の一側（吊元側であって、図１において右側）には、軸受凹部２ａ、２ｂがそれぞれ凹設されている。一方、躯体開口部には、上下戸枠３、４および左右戸枠（縦戸枠）５、６が止着されているが、前記上下戸枠３、４に開口部内方に向けて突設された揺動枢軸３ａ、４ａが前記戸体２側の軸受凹部２ａ、２ｂにそれぞれ揺動自在に内嵌、軸支することによって、戸体２は各戸枠３、４、５、６に対して開閉して、開口部を閉鎖する全閉姿勢から屋外側（矢印Ａ方向）に揺動して開口部を開放する開放姿勢に変姿するようになっており、これらの構成は何れも従来通りである。
【０００６】
さて、前記戸体２の吊元側端面部には、屋内側面から直角状に折曲して形成された当接面部２ｃと、前記当接面部２ｃよりも間口方向（間口幅方向）外方に突出した屋外側面から直角状に折曲して形成されたストッパ面部２ｄと、これら当接面部２ｃとストッパ面部２ｄとのあいだに位置して湾曲状に形成された中間面部２ｅとで構成されている。さらに、吊元側端部に形成される軸受凹部２ａ、２ｂの凹部中心（本発明の枢軸中心に対応する）Ｏは、戸体板厚方向位置については、戸体２の板厚中心線Ｌよりも僅かに屋外側に偏芯した位置となっており、さらに間口方向位置については、前記ストッパ面部２ｄから戸体板厚の略１／２の距離の位置となっており、前記当接面部２ｃの形成位置と一致するように設定されている。
【０００７】
一方、前記左右戸枠５、６のうち、右側の吊元側戸枠６には、戸体２の屋内側面と対向する戸当り面６ａと、戸体２の吊元側端面部と対向する内側面６ｂとが略Ｌ字形に形成されている。そして、前記戸当り面６ａの先端部は、全閉状態の戸体２屋内側面の吊元側端部に略対向する位置にまで伸長しており、該伸長した先端部に気密材７が上下方向全体に亘って止着されている。ここで、気密材７はゴム質弾性材で形成され弾性変形するものであり、本実施の形態の気密材７は、先端面（屋外側端面）７ａが全閉姿勢の戸体２の屋内側面位置を僅かに越える位置にまで突出する寸法設定で設けられている。そして、気密材７は、戸体２の全閉姿勢で、戸体２の当接面部２ｃに当接することで、戸体２と吊元側戸枠６とのあいだの気密を計るものであるが、この状態において、当接面部２ｃと気密材７との位置関係は、戸体当接面部２ｃが気密材７に押圧されて、気密材７の先端部７ａ側の間口方向内端部７ｂが弾性変形する設定となっている。さらに気密材７は、戸体２の全開姿勢の状態において、戸体２の揺動中心（凹部中心Ｏ）が屋外側に偏芯しているため、略９０度開放揺動することによって戸体ストッパ面２ｄが自然状態の気密材先端面７ａに丁度当接するように設定されており、もって、戸体２は、ストッパ面部２ｄが気密材先端面７ａにより回り止めされる状態となって、これ以上の開放揺動が規制される設定となっている。これによって、気密材７は、先端部７ａは戸体２に対するストッパ面部として機能し、間口方向内端部７ｂは気密面部として機能するように設定されている。
【０００８】
そうして、凹部中心Ｏを軸芯として全開姿勢から揺動する戸体２の中途開状態では、戸体中間面部２ｅが気密材先端面７ａに対向することになるが、中間面部２ｅは気密材７に丁度当接するストッパ面部２ｄから間口方向内側に退避した当接面部２ｃに至る湾曲面となっているため、該中間面部２ｅが気密材７に当接することがないように設定されている。この中途開姿勢から戸体２は、全閉となる直前位置で、戸体当接面部２ｃが気密材７の間口方向内端部７ｂに対して間口方向内側から当接し、そして戸体２が全閉姿勢になることに伴い、前述したように、当接面部２ｃが気密材内端部７ｂを押圧して弾性変形させるように設定されている。
【０００９】
因みに、前記戸体２の吊元側端面部は次のように構成されている。つまり、戸体２の吊元側エッジ材８は、二段の段差面８ａ、８ｂが形成されることで三段の見込み面８ｃ、８ｄ、８ｅが形成されている。そして屋内側表面板９の端縁が一段目見込み面８ｃから一段目段差面８ａに沿うように折曲され、屋外側表面板１０の端縁が三段目見込み面８ｅに沿うように折曲されている。そして戸体２が開閉作動する場合に、開閉中途過程で気密材７との対向間隙を小さくするための前記中間面部２ｅの両端縁が各表面板９、１０の端部にオーバーラップ状に積層され、リベット等の止め部材１１によりエッジ材８に固定され、これによって戸体２の吊元側端面部を構成するようになっている。
【００１０】
叙述の如く構成された本発明の実施の形態において、戸体２は、上下端面に凹設した軸受凹部２ａ、２ｂに、上下戸枠３、４から突設される揺動支軸３ａ、４ａを嵌合、軸支することで組込まれ、これによって開口部の開閉揺動を行うことになるが、この場合に、戸体２と吊元側戸枠６とのあいだの気密をするための気密材７は、その先端面７ａがストッパ面となって、全開姿勢の戸体２のストッパ面部２ｄに丁度当接するように配設されている。この結果、気密材先端面７ａが戸体２の全開姿勢を越える開放揺動を回避する回り止め部材として機能することになる。従って、従来のもののように、縦戸枠に、屋外側に延長する延長部を形成して戸体の回り止めを計るような必要がなく、戸枠６の見込み寸法を小さくして室内スペースを損なうことがない。
【００１１】
しかもこのものでは、一つの気密材７が、戸体２の全閉時においては、その間口方向内端部７ａが戸体当接面部２ｃと弾圧状に当接して戸体２との気密性を確保するものとして機能する一方、戸体２の全開時においては、その先端部７ｂがストッパ面部として戸体ストッパ面部２ｄと当接して戸体２の回り止め機能を果たすものとして機能することとなり、部材の兼用化が計れることになる。
【００１２】
さらにこのものにおいて、戸体２と気密材７とは、戸体２の全閉時と全開時にのみ接触し、中途開状態では接触することがなく、もって気密材７の摩耗を低減させることができるものであるが、この場合に、戸体当接面部２ｃは戸体２の吊元側端面に段差状に形成されるものでありながら、当接面部２ｃと気密材７との当接は気密材７の屋外側先端部でなされ、しかも当接面部２ｃは間口幅方向内側から気密材７に当接することになるので当接面部２ｃにより戸枠６側に指が引き込まれたとしても、指は気密材７により保護されることになる。
【００１３】
次に、第二の実施の形態を図５に示すが、該図面において、第一の実施の形態と共通するもの（同一のもの）については、同一の符号を付して引出すと共にその詳細については省略する。本第二の実施の形態の戸体１２の吊元側端面部の形状としては、戸体１２の屋内側エッジ部が傾斜状に切欠かれた傾斜面部１２ｃに形成して、当接面部と中間面部とを連続的に形成したものとし、該傾斜面部１２ｃの屋外側にストッパ面部１２ｄが形成されているものであって、戸体１２の偏芯した凹部中心Ｏにより前記第一の実施の形態と同様にして戸枠６に組込まれている。
一方、戸枠６側の気密材１３は、前記第一の実施の形態と略同様の構成となっているが、このものは前記のものより屋外側に長く突出している。そして、このものでも前記第一の実施の形態のように、全開姿勢の戸体１２の回り止めを、戸体ストッパ面部１２ｂと気密材１３の先端面部１３ａとのあいだで行うことができるが、このものでは、気密材１３を長く突出させた分、戸体１２の屋内側面と戸枠６とのあいだのクリアランスを大きく確保でき、この部位で指詰め防止を計れることになる。
因みに、この戸体１２は、エッジ材１４が一段の段差面１４ａにより二段の見込み面１４ｂ、１４ｃを有したもので構成され、そうして屋内側表面板１５が、テーパ状になって傾斜面部１２ｃを構成して屋外側見込み面１４ｃに至り、ここで屋外側表面板１６の端縁と積層され、止め部材１７によりエッジ材１４に固定され、これによって戸体２の吊元側端面部を構成するようになっている。
【００１４】
次に、第三の実施の形態を図６に示すが、該図面において、第一の実施の形態と共通するもの（同一のもの）については、同一の符号を付して引出すと共にその詳細については省略する。本第三の実施の形態の戸体１８の吊元側端面部の形状としては、前記第一の実施の形態と略同様に、当接面部１８ｃ、ストッパ面部１８ｄ、中間面部１８ｅが形成されたものであって、戸体１８の偏芯した凹部中心Ｏにより前記第一の実施の形態と同様にして戸枠６に組込まれている。
一方、戸枠６側の気密材１９であるが、この気密材１９は、戸体当接面部１８ｃと当接する気密保持部１９ａと全開姿勢で戸体ストッパ面部１８ｄと当接するストッパ面部１９ｂとがそれぞれ形成されたものとなっている。このものでは、さらに、戸体１８の中途開姿勢において、戸体中間面部１８ｅは略自然状態の気密保持部１９ａと当接する設定となっている。そしてこのものでも、前記各実施の形態と同様に、互いのストッパ面部１８ｄ、１９ｂとの当接により戸体１０の回り止めができる。
この場合の戸体２は、エッジ材２０としてクランク状に折曲形成されたものが用いられ、室内側表面板２１を略冂字形に折り返し折曲して前記当接面部１８ｃが形成されている。そして室内側表面板２１の先端縁を、エッジ材２０の見込み面２０ａの室内側部に沿わせるよう折曲する一方、中間面部１８ｅの端縁を略Ｌ字形の補助材２２と前記折り返された室内側表面板２１とで挟み込むようにして組込み、そして補助材２２を室内側表面板２１先端と共に止め部材２４によりエッジ材２０に固定している。また、屋外側表面板２３の端縁は、エッジ材２０の室内側に折曲された屋外側端縁部２０ｂに中間面部１８ｅの屋外側端縁とオーバーラップするようにあてがわれた状態で止め部材２４によりエッジ材２０に固定され、これによって戸体２の吊元側端面部を構成するようになっている。
【図面の簡単な説明】
【図１】開き戸の全体正面図である。
【図２】開き戸の側面断面図である。
【図３】開き戸の平面断面図である。
【図４】開き戸の開閉手順を示す説明断面図である。
【図５】第二の実施の形態の開き戸の開閉手順を示す説明断面図である。
【図６】第三の実施の形態の開き戸の開閉手順を示す説明断面図である。
【図７】従来の開き戸の平面断面図である。
【図８】従来の開き戸の開平手順を示す説明図である。
【符号の説明】
１    開き戸
２    戸体
２ｃ    当接面部
２ｄ    ストッパ面部
２ｅ    中間面部
６    吊元側縦戸枠
７    気密材
７ａ    先端面
７ｂ    間口方向内端部
８    エッジ材
９    屋内側表面板
１０    屋外側表面板
１１    止め部材
Ｏ    凹部中心
【図１】
0003650914.tif 000002
【図２】
0003650914.tif 000003
【図３】
0003650914.tif 000004
【図４】
0003650914.tif 000005
【図５】
0003650914.tif 000006
【図６】
0003650914.tif 000007
【図７】
0003650914.tif 000008
【図８】
0003650914.tif 000009